(57)【要約】      （修正有）【課題】通電鍼に対する電力線の配線を不要としつつ、通電による電気治療機能を発揮させることが可能な通電鍼装置を提供する。【解決手段】通電鍼装置１０は、送電装置２０から無線で供給された電力を受電する受電アンテナ１１と、受電アンテナに接続され、受電した電磁波をパルス状に整流する整流器１２と、整流器に接続され、侵襲及び非侵襲で身体に接触され、整流されたパルス電気刺激を与える第１電極として構成された第１鍼１４とを備える。【選択図】図１
2020099564.tif 000002
【特許請求の範囲】
【請求項１】
受電アンテナと、
前記受電アンテナに接続された整流器と、
前記整流器に接続され、身体へ電気刺激を与える第１電極として構成された第１鍼と、
を備える、通電鍼装置。
【請求項２】
前記受電アンテナは、モノポールアンテナである
請求項１に記載の通電鍼装置。
【請求項３】
前記第１鍼は、前記整流器におけるアノード端子及びカソード端子のうちのいずれか一方である第１端子に接続され、
前記モノポールアンテナは、前記アノード端子及び前記カソード端子のうちの他方である第２端子に接続されている
請求項２に記載の通電鍼装置。
【請求項４】
前記第１鍼の対向電極を有さず、前記第１鍼単体によって前記身体へ電気刺激が与えられるよう構成されている
請求項３に記載の通電鍼装置。
【請求項５】
前記第１鍼は、前記整流器におけるアノード端子及びカソード端子のうちのいずれか一方である第１端子に接続され、
前記アノード端子及び前記カソード端子のうちの他方である第２端子に接続され、前記第１鍼との間で前記身体へ電気刺激を与える第２電極として構成された第２鍼をさらに備える
請求項１に記載の通電鍼装置。
【請求項６】
前記受電アンテナは、前記第２端子に接続されたモノポールアンテナである
請求項５に記載の通電鍼装置。
【請求項７】
前記第２端子と前記第２鍼との間に設けられた高周波遮断インダクタをさらに備える
請求項６に記載の通電鍼装置。
【請求項８】
前記受電アンテナは、第１アンテナ素子及び第２アンテナ素子を有するダイポールアンテナであり、
前記整流器は、前記第１アンテナ素子と前記第２アンテナ素子との間に設けられている
請求項１に記載の通電鍼装置。
【請求項９】
前記第１鍼は、前記整流器におけるアノード端子及びカソード端子のうちのいずれか一方である第１端子に接続され、
前記アノード端子及び前記カソード端子のうちの他方である第２端子に接続され、前記第１鍼との間で前記身体へ電気刺激を与える第２電極として構成された第２鍼をさらに備える
請求項８に記載の通電鍼装置。
【請求項１０】
前記整流器に接続された発光素子をさらに備える
請求項１〜請求項９のいずれか１項に記載の通電鍼装置。
【請求項１１】
前記第１鍼は、前記受電アンテナのアンテナ長よりも短い
請求項１〜請求項１０のいずれか１項に記載の通電鍼装置。
【請求項１２】
前記第２鍼は、前記受電アンテナのアンテナ長よりも短い
請求項５〜請求項７のいずれか１項に記載の通電鍼装置。
【請求項１３】
前記受電アンテナ及び前記整流器を保持する保持具を更に備え、
前記第１鍼は、前記保持具から突出するように設けられている
請求項１〜請求項１１のいずれか１項に記載の通電鍼装置。
【請求項１４】
請求項１〜請求項１３のいずれか１項に記載の通電鍼装置と、
前記通電装置へ電力をワイヤレスで送信する送電装置と、
を備える、通電鍼システム。
【請求項１５】
前記送電装置は、搬送波を身体へ通電されるパルスによって変調した変調波を送信する
請求項１４に記載の通電鍼システム。
【請求項１６】
請求項１４に記載の通電鍼システムの動作方法であって、
前記受電アンテナによって電力を受信させるために、前記送電装置によって、電力をワイヤレスで送信する
ことを含む通電鍼装置の動作方法。
【発明の詳細な説明】
【技術分野】
【０００１】
本開示は、通電鍼装置、通電鍼システム、及び、通電鍼装置の動作方法に関する。
【背景技術】
【０００２】
通電鍼では、正負極２対の鍼に対して鍼通電装置からの電力供給線を接続して患部に刺し、電気治療用の電力を供給する。
【先行技術文献】
【特許文献】
【０００３】
【特許文献１】特開２０１８−６８８０１号公報
【発明の概要】
【０００４】
しかしながら、鍼に通電して電気治療を行うためには鍼に配線が必要であり、その作業が煩雑であるという問題があった。そのため、配線なく電気治療が可能な通電鍼が望まれる。ここで、特許文献１は、空間中の電磁波を受信するアンテナ鍼を有する電磁波治療器を開示している。しかし、特許文献１のアンテナ鍼は、単に、通常の鍼状の部材をアンテナとして利用したものにすぎず、受信した電磁波がほぼ熱に変換され、アンテナ鍼の温度が上昇することによるお灸効果を得るためのものである。したがって、受信した電磁波は、主に熱に変換され、身体への通電にはほとんど用いられないと考えられる。このため、特許文献１の技術では、通電による電気治療機能を期待できない。
【０００５】
通電鍼に対する電力線の配線を不要としつつ、通電による電気治療機能を発揮させることが望まれる。
【０００６】
ある実施の形態に従うと、通電鍼装置は、受電アンテナと、受電アンテナに接続された整流器と、整流器に接続され、身体へ電気刺激を与える第１電極として構成された第１鍼とを備える。
【０００７】
他の実施の形態に従うと、通電鍼システムは、上記の通電鍼装置と、通電装置へ電力をワイヤレスで送信する送電装置と、を備える。
【０００８】
他の実施の形態に従うと、通電鍼装置の動作方法は、上記の通電鍼システムの動作方法であって、受電アンテナによって電力を受信させるために、送電装置によって、電力をワイヤレスで送信する。
【図面の簡単な説明】
【０００９】
【図１】図１は、実施の形態に係る通電鍼システム（以下、システム）の構成の具体例を示した図である。
【図２】図２は、第１の実施の形態に係る通電鍼装置の構造の概略図である。
【図３】図３は、第１の実施の形態に係る通電鍼装置での、電流の流れ方を説明するための図である。
【図４】図４は、第２の実施の形態に係る通電鍼装置の構造の概略図である。
【図５】図５は、第２の実施の形態に係る通電鍼装置での、電流の流れ方を説明するための図である。
【図６】図６は、発明者らによる実験結果のグラフである。
【図７】図７は、第２の実施の形態に係る通電鍼装置の構造の概略図である。
【図８】図８は、第２の実施の形態に係る通電鍼装置での、電流の流れ方を説明するための図である。
【図９】図９は、各実施の形態に係る通電鍼装置の実装例を表した概略図である。
【発明を実施するための形態】
【００１０】
［１．通電鍼装置、通電鍼システム、及び、通電鍼装置の動作方法の概要］
【００１１】
（１）本実施の形態に含まれる通電鍼装置は、受電アンテナと、受電アンテナに接続された整流器と、整流器に接続され、身体へ電気刺激を与える第１電極として構成された第１鍼とを備える。
【００１２】
整流器は、例えば、ダイオードである。受電アンテナを有することで、通電鍼装置は、送電装置からワイヤレスで電力供給を受けることができる。そのため、通電鍼に対する電力線の配線を不要とすることができる。しかも、受電アンテナと整流器とはいわゆるレクティナとして機能し、受信した高周波を電流に効率良く変換することができる。この結果、通電による電気治療機能を発揮させることができる。
【００１３】
（２）好ましくは、受電アンテナは、モノポールアンテナである。この場合、構造を簡素化することができ、通電鍼装置の小型化に寄与する。
【００１４】
（３）好ましくは、第１鍼は、整流器におけるアノード端子及びカソード端子のうちのいずれか一方である第１端子に接続され、モノポールアンテナは、アノード端子及びカソード端子のうちの他方である第２端子に接続されている。この場合、第２端子側に接続されたモノポールアンテナによって受信した高周波は、第１端子に接続された第１鍼において、身体に流れる電流として出力される。
【００１５】
（４）好ましくは、通電鍼装置は、第１鍼の対向電極を有さず、第１鍼単体によって身体へ電気刺激が与えられるよう構成されている。第１鍼の対向電極を有しないことで、構造を簡素化することができ、通電鍼装置の小型化に寄与する。
【００１６】
（５）好ましくは、第１鍼は、整流器におけるアノード端子及びカソード端子のうちのいずれか一方である第１端子に接続され、通電鍼装置は、アノード端子及びカソード端子のうちの他方である第２端子に接続され、第１鍼との間で身体へ電気刺激を与える第２電極として構成された第２鍼をさらに備える。電極間においては電流が流れやすいため、第１電極と第２電極とを有していることで、電極間においてより大きな電気刺激が得られる。
【００１７】
（６）好ましくは、受電アンテナは、第２端子に接続されたモノポールアンテナである。この場合、構造を簡素化することができ、通電鍼装置の小型化に寄与する。
【００１８】
（７）好ましくは、通電鍼装置は、第２端子と第２鍼との間に設けられた高周波遮断インダクタをさらに備える。この場合、高周波インダクタにより、効率的に通電をすることができる。
【００１９】
（８）好ましくは、受電アンテナは、第１アンテナ素子及び第２アンテナ素子を有するダイポールアンテナであり、整流器は、第１アンテナ素子と第２アンテナ素子との間に設けられている。この場合、電磁波を効率的に受信し、効率的に通電をすることができる。
【００２０】
（９）好ましくは、第１鍼は、整流器におけるアノード端子及びカソード端子のうちのいずれか一方である第１端子に接続され、通電鍼装置は、アノード端子及びカソード端子のうちの他方である第２端子に接続され、第１鍼との間で身体へ電気刺激を与える第２電極として構成された第２鍼をさらに備える。これにより、整流器から出力された電流を、第１電極と第２電極との間に流すことができる。
【００２１】
（１０）好ましくは、通電鍼装置は、整流器に接続された発光素子をさらに備える。この場合、鍼への通電を発光素子による発光により視覚的に確認することができる。
【００２２】
（１１）好ましくは、第１鍼は、受電アンテナのアンテナ長よりも短い。この場合、第１鍼がアンテナとして機能することを抑制することができる。
【００２３】
（１２）好ましくは、第２鍼は、受電アンテナのアンテナ長よりも短い。この場合、第２鍼がアンテナとして機能することを抑制することができる。
【００２４】
（１３）好ましくは、通電鍼装置は、受電アンテナ及び整流器を保持する保持具を更に備え、第１鍼は、保持具から突出するように設けられている。この場合、通電鍼装置の取り扱いが容易となる。
【００２５】
（１４）本実施の形態に含まれる通電鍼システムは、上記の通電鍼装置と、通電装置へ電力をワイヤレスで送信する送電装置と、を備える。これにより、通電鍼システムに含まれる通電鍼装置は（１）〜（１３）の通電鍼装置として機能する。そのため、通電鍼装置の動作方法は、（１）〜（１３）の通電鍼装置と同じ効果を奏する。
【００２６】
（１５）好ましくは、送電装置は、搬送波を身体へ通電されるパルスによって変調した変調波を送信する。これにより、通電鍼装置を装着した患部に対してパルス状の電気刺激が与えられる。
【００２７】
（１６）本実施の形態に含まれる通電鍼装置の動作方法は、上記の通電鍼システムの動作方法であって、受電アンテナによって電力を受信させるために、送電装置によって、電力をワイヤレスで送信する。これにより、通電鍼システムに含まれる通電鍼装置は（１）〜（１３）の通電鍼装置として機能する。そのため、通電鍼装置の動作方法は、（１）〜（１３）の通電鍼装置と同じ効果を奏する。
【００２８】
［２．通電鍼装置、通電鍼システム、及び、通電鍼装置の動作方法の例］
【００２９】
［２．１  第１の実施の形態］
【００３０】
図１に示された本実施の形態にかかる通電鍼システム（以下、システムと略する）１００は、通電鍼装置１０と送電装置２０とを含む。送電装置２０は、通電鍼装置１０に対して無線（ワイヤレス）による電力供給を行うことが可能である。これにより、通電鍼に対する電力線の配線を不要とすることができ、配線作業をなくすことができる。また、通電鍼の配置の自由度も向上する。
【００３１】
通電鍼装置１０は、身体に接触させることで身体へ電気刺激を与えることが可能な通電鍼装置であって、受電アンテナ（以下、アンテナ）１１と整流器（レクティファイヤとも呼ばれる）１２とを含むレクティナ１３、及び、電極である鍼１４を備える。通電鍼装置１０は、アンテナ１１及び整流器１２からなるレクティナ１３に鍼１４が接続された構造を有する。鍼１４の身体への接触は、皮下への侵襲及び非侵襲での表皮への接触を含む。整流器１２は、例えば、ダイオード１２Ａである。ダイオード１２Ａは、高周波用の整流ダイオードであって、例えばＳＢＤ（Schottky Barrier Diode）が用いられる。
【００３２】
アンテナ１１は、送電装置２０から放射される、後述のようにパルス状に変調された電磁波（マイクロ波）ＰＷを受信する。放射される電磁波ＰＷは、例えば、２．４５ＧＨｚのマイクロ波である。整流器（例えばダイオード）１２は、電磁波を直流電流に変換し、鍼１４に電力を供給する。アンテナ１１が受信する電磁波がパルス状であることから、鍼１４に供給される電力もパルス状となる。アンテナ１１の長さＬ１は、２．４５ＧＨｚの電磁波を受信するのに適した長さに設定される。
【００３３】
鍼１４は、少なくとも第１電極として構成される。後の実施の形態に示されるように、鍼１４は、第１電極及び第２電極として構成される２つの鍼を含んでもよい。なお、第１電極及び第２電極は、陽極（正極）と陰極（負極）とからなる電極対の一方ずつを指す。以降の説明では、第１電極に対する第２電極、又は、第２電極に対する第１電極を対向電極とも称する。
【００３４】
アンテナ１１及び鍼１４は、いずれも、アルミや銅などの金属であってよい。また、これらは同一の素材で構成されてもよい。その場合、鍼１４の長さＬ２はアンテナ１１の長さＬ１よりも短い。これにより、鍼１４がアンテナとして作用することを抑制することができる。なお、鍼１４の長さＬ２は、好ましくは、アンテナ１１の長さＬ１の１／２以下、さらに好ましくは、１／３以下、さらに好ましくは１／４以下、さらに好ましくは、１／５以下である。
【００３５】
送電装置２０は、高周波電源２１及び送電アンテナ２２を備える。高周波電源２１は、例えばマグネトロン、半導体発振器であって、電力を伝送するための電磁波を発生させる。
【００３６】
送電アンテナ２２は、例えばヘリカルアンテナ、ダイポールアンテナであって、高周波電源２１で発生した電磁波ＰＷを空間に放射する。放射する電磁波ＰＷは、例えば、２．４５ＧＨｚのマイクロ波であり、身体へ通電される周期Ｐのパルスによって変調したパルス波（変調波）である。つまり、送電装置２０は、搬送波を身体へ通電されるパルスによって変調した変調波を通電鍼装置１０に送信する。なお、上述した送電装置２０の構成は一例であって、電磁波による無線給電が可能であれば適宜変更されてもよい。他の例として、放射する電磁波ＰＷは、交流波形で変調した交流変調波であってもよい。
【００３７】
図２に示されたように、第１の実施の形態に係る通電鍼装置１０Ａでは、アンテナ１１はモノポールアンテナである。モノポールアンテナを用いることで、通電鍼装置１０Ａの構造を簡素化することができ、小型化に寄与する。また、通電鍼装置１０Ａでは、鍼１４は、第１電極として構成される第１鍼１４−１のみを有し、第２電極として構成される第２鍼は有しない。つまり、通電鍼装置１０Ａは、第１鍼１４−１の対向電極を有さず、第１鍼１４−１単体によって身体へ電気刺激が与えられるよう構成されている。第１鍼１４−１の対向電極を有しないことでも通電鍼装置１０Ａの構造を簡素化することができ、小型化に寄与する。
【００３８】
第１鍼１４−１は、整流器１２であるダイオード１２Ａのアノード端子及びカソード端子のうちのいずれか一方である第１端子Ｔ１に接続されている。アンテナ１１は、アノード端子及びカソード端子のうちの他方である第２端子Ｔ２に接続されている。図２の例では、第１端子Ｔ１はカソード端子、第２端子Ｔ２はアノード端子であるが、逆であってもよい。なお、ここでの接続は、端子に直接（他の素子を介在せずに）接続することと、コンデンサなどの他の素子を介在して接続することと、を含む。以降の説明においても、接続は同様の接続を意味する。
【００３９】
図３に示されたように、通電鍼装置１０Ａでは、ダイオード１２Ａが、アンテナ１１で受信した送電装置２０から電磁波を電流に変換し、矢印Ａの方向に第１鍼１４−１に与える。第１鍼１４−１が身体に接触しているとき、身体が抵抗Ｒｐ１を含む導線及びグランド電極として機能して、電流Ｉが身体を経て仮想的なグランド電極に流れることができる。
【００４０】
図２に示されたように第１端子Ｔ１がカソード端子、第２端子Ｔ２がアノード端子である場合、図３に示されたように、通電鍼装置１０Ａでは、アンテナ１１によって受電された電力がダイオード１２Ａに対して順バイアスである場合に電流Ｉが矢印Ａの方向に流れて第１鍼１４−１に与えられ、逆バイアスである場合には第１鍼１４−１に電流が流れない。
【００４１】
なお、アンテナ１１で受信した送電装置２０から電磁波ＰＷがパルス変調波である場合、ダイオード１２Ａによって整流され、第１鍼１４−１に供給される電力は、図１に示されたようなパルス状となる。この場合、第１鍼１４−１は身体に接触することで身体へパルス状の電気刺激を与える。身体へパルス状の電気刺激を与えると、身体に対して電気鍼の効果を与えることができる。
【００４２】
［２．２  第２の実施の形態］
【００４３】
図４に示されたように、第２の実施の形態に係る通電鍼装置１０Ｂでもまた、アンテナ１１はモノポールアンテナである。通電鍼装置１０Ｂは、第１鍼１４−１と第２鍼１４−２とからなる鍼１４を有する。第１鍼１４−１は、第１電極として構成される。第２鍼１４−２は、第１鍼１４−１との間で身体へ電気刺激を与える第２電極として構成される。
【００４４】
なお、この場合、上記の鍼１４の長さＬ２は、第１鍼１４−１の長さも第２鍼１４−２の長さも指す。すなわち、第１鍼１４−１の長さも第２鍼１４−２の長さも、アンテナ１１の長さＬ１よりも短い。これにより、第１鍼１４−１と第２鍼１４−２とのいずれもがアンテナとして作用することを抑制できる。
【００４５】
第１鍼１４−１は第１端子Ｔ１に接続され、アンテナ１１は第２端子Ｔ２に接続されている。さらに、通電鍼装置１０Ｂでは、第２端子Ｔ２に第２鍼１４−２が接続されている。なお、図４の例でも、第１端子Ｔ１はカソード端子、第２端子Ｔ２はアノード端子であるが、逆であってもよい。
【００４６】
通電鍼装置１０Ｂでは、第２鍼１４−２は、第２端子Ｔ２にインダクタ（コイル）１９を介して接続されている。インダクタ１９は、高周波遮断フィルタとして機能する高周波遮断インダクタ１９である。言い換えると、通電鍼装置１０Ｂは、第２端子Ｔ２と第２鍼１４−２との間に設けられた高周波遮断インダクタ１９を有する。そのため、図４に示されたように、通電鍼装置１０Ｂでは、アンテナ１１によって受電された電力がダイオード１２Ａに対して順バイアスである場合、アンテナ１１からの電流がインダクタ１９側には流れず、カソード端子から第１鍼１４−１に与えられる。ダイオード１２Ａが順バイアスである場合、第１鍼１４−１が身体に接触した通電鍼装置１０Ｂの等価回路は、図３に示す通電鍼装置１０Ａと等しくなる。この場合、電流Ｉは第１鍼１４−１から身体を経て仮想的なグランド電極に流れることができる。
【００４７】
アンテナ１１によって受電された電力がダイオード１２Ａに対して逆バイアスである場合、図５に示されたように、第２鍼１４−２の電位はアノード端子側の電位と等しくなる。この場合、第１鍼１４−１が陽極、第２鍼１４−２が陰極となる。そのため、第１鍼１４−１及び第２鍼１４−２の双方が身体に接触される場合、身体が抵抗Ｒｐ２を含む導線として機能して、図５に示されたように、電流Ｉが身体を経て矢印Ｂの方向に第１鍼１４−１から第２鍼１４−２に流れる。
【００４８】
通電鍼装置１０Ｂでは、送電装置２０から供給される電力がパルス状であることから、鍼１４は身体へパルス状の電気刺激を与える。身体へパルス状の電気刺激を与えると、身体に対して電気鍼の効果を与えることができる。なお、通電鍼装置１０Ｂでは、第２端子Ｔ２に第２鍼１４−２がインダクタ１９を介して接続されているため、アンテナ１１によって受電された電力がダイオード１２Ａに対して順バイアスの場合でも逆バイアスの場合でも、鍼１４から身体に電流Ｉを流すことができる。したがって、この場合、通電鍼装置１０Ａよりもエネルギー効率を向上させることができる。
【００４９】
［２．３  実験例］
【００５０】
発明者らは、通電鍼装置１０Ｂを用いて、送電装置２０からパルス状の電力をワイヤレスで供給した通電鍼装置１０Ｂが模擬的な身体にパルス状の電気刺激を与えることを確認する実験を行った。
【００５１】
実験では、身体に模擬した生理食塩水を満たした水槽に第１鍼１４−１及び第２鍼１４−２を入れ、また、水槽にグランド電極として機能させる金属板も入れた。送電装置２０では、２．４５ＧＨｚ帯の電磁波ＰＷで、パルス状の電力をワイヤレスで供給した。電磁波ＰＷは、周期Ｐが４００ｍｓ、パルス幅が４０ｍｓのパルス変調波とした。そして、通電鍼装置１０Ｂに対して送電装置２０から電力中に、金属板とカソード端子との間の電位差を、オシロスコープを用いて測定した。この電位差は、グランド電極と第１端子Ｔ１との間の電位差に相当する。
【００５２】
図６に示されたとおり、実験の結果、得られた波形は、周期Ｐが４００ｍｓ、パルス幅が概ね４０ｍｓである。そのため、通電鍼装置１０Ｂによって、送電装置２０からの送電に従って身体へ電気刺激が与えられることが確認された。
【００５３】
［２．４  第３の実施の形態］
【００５４】
なお、アンテナ１１は、モノポールアンテナに限定されずダイポールアンテナであってもよい。図７に示されたように、第３の実施の形態に係る通電鍼装置１０Ｃでは、アンテナ１１は、第１アンテナ素子１１−１及び第２アンテナ素子１１−２を有するダイポールアンテナである。整流器１２であるダイオード１２Ａは、第１アンテナ素子１１−１と第２アンテナ素子１１−２との間に設けられている。これにより、電磁波を効率的に受信し、効率的に通電をすることができる。
【００５５】
また、図７に示されたように、通電鍼装置１０Ｃもまた、第１鍼１４−１と第２鍼１４−２とからなる鍼１４を有する。第１鍼１４−１は、第１電極として構成される。第２鍼１４−２は、第１鍼１４−１との間で身体へ電気刺激を与える第２電極として構成される。
【００５６】
通電鍼装置１０Ｃにおいて、整流器１２である整流回路１２Ｂは、図７に示されたように、ダイオード１２Ａに加えて、コンデンサ１５２と共振回路１５１とを含む。コンデンサ１５２と共振回路１５１とは平滑回路として機能する。つまり、整流器１２は、ダイオード１２Ａと平滑回路と含んでもよい。なお、この整流器１２の構成は、第１の実施の形態に係る通電鍼装置１０Ａ及び第２の実施の形態に係る通電鍼装置１０Ｂでも同等の構成であってよい。
【００５７】
コンデンサ１５２は、平滑用のコンデンサであって、例えば積層セラミックコンデンサが用いられる。コンデンサ１５２の容量は例えば０．１μＦである。
【００５８】
共振回路１５１は、コイルとコンデンサとが並列に接続された並列ＬＣ回路であって、ＢＥＦ（Band Elimination Filter）として機能する。共振回路１５１は、コンデンサ１５２により平滑される電流波形のリップルを低減することが可能である。
【００５９】
第１アンテナ素子１１−１は第１端子Ｔ１に接続され、第２アンテナ素子１１−２は第２端子Ｔ２に接続されている。コンデンサ１５２は、第１アンテナ素子１１−１と第２アンテナ素子１１−２との間にダイオード１２Ａと並列に接続されている。第１鍼１４−１は第１端子Ｔ１に接続され、第２鍼１４−２は第２端子Ｔ２に接続されている。共振回路１５１は、第１端子Ｔ１とコンデンサ１５２との間に接続されている。
【００６０】
通電鍼装置１０Ｃは、さらに、発光素子１６を含んでもよい。発光素子１６は、例えばＬＥＤ（light emitting diode：発光ダイオード）である。発光素子１６は、整流回路１２Ｂに接続されている。これにより、整流回路１２Ｂに通電時に発光することができる。なお、第１の実施の形態に係る通電鍼装置１０Ａ及び第２の実施の形態に係る通電鍼装置１０Ｂにも発光素子１６が含まれていてもよい。
【００６１】
通電鍼装置１０Ｃでは、図７に示されたように第１端子Ｔ１がカソード端子、第２端子Ｔ２がアノード端子である場合、第１鍼１４−１が陽極、第２鍼１４−２が陰極となる。そのため、第１鍼１４−１及び第２鍼１４−２の双方が身体に接触される場合、身体が抵抗Ｒｐ２を含む導線として機能して、図８に示されたように、電流Ｉが身体を経て矢印Ｂの方向に第１鍼１４−１から第２鍼１４−２に流れる。
【００６２】
通電鍼装置１０Ｃでも、送電装置２０から供給される電力がパルス状であることから、鍼１４は身体へパルス状の電気刺激を与える。身体へパルス状の電気刺激を与えると、身体に対して電気鍼の効果を与えることができる。
【００６３】
［２．５  実装例］
【００６４】
通電鍼装置１０をユーザの身体に装着して用いるため、図９の（Ａ）に示されたように、整流器１２は基板状の保持具１７上に保持される構成であってもよい。これにより、通電鍼装置１０全体がモジュール化され、取り扱いが容易になる。
【００６５】
鍼１４は、保持具１７の下面１７ａから下方に向けて突出するように設けられている。また、アンテナ１１は、保持具１７の上面１７ｂから上方に向けて突出するように設けられていてもよい。
【００６６】
保持具１７の上面１７ｂ及び下面１７ａの少なくとも一方は、保護材１８によって保護されている。保護材１８は、例えば樹脂モールドである。好ましくは、上面１７ｂ及び下面１７ａの両面が保護材１８によって保護されている。
【００６７】
好ましくは、保持具１７上に保持された整流器１２の一方の端子にアンテナ１１が接続され、上方に向けてアンテナ１１が延設されている。これにより、アンテナ１１は保持具１７の上面１７ｂから上方に突出している。保持具１７の周囲には金属帯１７ｃが設けられて、整流器１２の上記一方の端子がインダクタ２３を介して金属帯１７ｃに接続されている。金属帯１７ｃは保護材１８に覆われていない。また、整流器１２の他方端子には鍼１４が接続され、下方に向けて鍼１４が延設されている。これにより、鍼１４は保持具１７の下面１７ａから下方に突出している。
【００６８】
通電鍼装置１０が図９の（Ａ）に示されたように金属帯１７ｃを有し、整流器１２の上記一方の端子がインダクタ２３を介して金属帯１７ｃに接続されている構成とすることによって、図９の（Ａ）に示されたように、通常の鍼２４を通電鍼装置１０に接続することができる。詳しくは、図９の（Ａ）を参照して、通電鍼装置１０に通常の鍼２４を接続する場合、保護材１８の周辺に設けられた金属帯１７ｃと通常の鍼２４とを、導線２５で結線されたクリップ等で挟む。これにより、通電鍼装置１０の鍼１４と通常の鍼２４とを身体に接触すると陽極及び陰極として機能し、より確実に身体に電流を流すことができる。また、導線２５の長さを可変とすることで、被験者の電流を流す身体の範囲を自由に変化させることができる。
【００６９】
なお、通電鍼装置１０は、下面１７ａを患部の皮膚側に向け、下面１７ａが皮膚に密着するように配置する。これにより、鍼１４は患部に接触する。
【００７０】
なお、図９の（Ａ）に示されたような、アンテナ１１が保持具１７の上面から突出している構造は必須ではない。通電鍼装置１０の構造の他の例として、（Ｂ）や（Ｃ）に示されたような、アンテナ１１が保持具１７の上面から突出していない構造であってもよい。
【００７１】
例えば、第２の実施の形態に係る通電鍼装置１０Ｂの場合、（Ｂ）に示されたように、アンテナ１１全体が保持具１７の上面１７ｂ内に配置され、第１鍼１４−１及び第２鍼１４−２のみが保持具１７の下面１７ａから突出していてもよい。また、第３の実施の形態に係る通電鍼装置１０Ｃの場合、（Ｃ）に示されたように、第１アンテナ素子１１−１及び第２アンテナ素子１１−２の両方が保持具１７の上面１７ｂ内に配置され、第１鍼１４−１及び第２鍼１４−２のみが保持具１７の下面１７ａから突出していてもよい。
【００７２】
これにより、通電鍼装置１０からの突出が少なくなるために扱いやすくなるとともに、小型化にもつながる。
【００７３】
本発明は、上記実施形態に限定されるものではなく、様々な変形が可能である。
【符号の説明】
【００７４】
１０      ：通電鍼装置
１０Ａ    ：通電鍼装置
１０Ｂ    ：通電鍼装置
１０Ｃ    ：通電鍼装置
１１      ：アンテナ
１１−１  ：第１アンテナ素子
１１−２  ：第２アンテナ素子
１２      ：整流器（ダイオード）
１２Ａ    ：ダイオード
１２Ｂ    ：整流回路
１３      ：レクティナ
１４      ：鍼
１４−１  ：第１鍼
１４−２  ：第２鍼
１６      ：発光素子
１７      ：保持具
１７ａ    ：下面
１７ｂ    ：上面
１７ｃ    ：金属帯
１８      ：保護材
１９      ：高周波遮断インダクタ
２０      ：送電装置
２１      ：高周波電源
２２      ：送電アンテナ
２３      ：インダクタ
２４      ：鍼
２５      ：導線
１５１    ：共振回路
１５２    ：コンデンサ
Ｉ        ：電流
ＬＣ      ：並列
Ｐ        ：周期
ＰＷ      ：電磁波
Ｒｐ１    ：抵抗
Ｒｐ２    ：抵抗
Ｔ１      ：第１端子
Ｔ２      ：第２端子
【図１】
2020099564.tif 000003
【図２】
2020099564.tif 000004
【図３】
2020099564.tif 000005
【図４】
2020099564.tif 000006
【図５】
2020099564.tif 000007
【図６】
2020099564.tif 000008
【図７】
2020099564.tif 000009
【図８】
2020099564.tif 000010
【図９】
2020099564.tif 000011